(57)【要約】【課題】親局装置２からの通信に応じて子局装置Ａ１〜Ａｎが親局装置へ送信を行う親子通信方式により親局装置と複数の子局装置とが通信を行い、管理装置１が親局装置と通信を行い、子局装置が配下装置Ｃ１〜Ｃｎと通信を行う通信システムで、管理装置１により配下装置Ｃ１〜Ｃｎを管理する。【解決手段】管理装置が配下装置に対する要求情報を親局装置へ送信し、親局装置が要求情報を親子通信方式により子局装置へ送信し、子局装置が要求情報を配下装置へ送信し、配下装置が要求情報に対する応答情報を子局装置へ送信し、子局装置が応答情報を記憶した後に親局装置からの送信要求に応じて親子通信方式により親局装置へ送信し、親局装置が応答情報を管理装置へ送信し、管理装置が応答情報に基づいて配下装置を管理する。【選択図】　　　図１
2004040677.tif 000002
【特許請求の範囲】
【請求項１】
親局装置と複数の子局装置とが通信可能に接続され、親局装置からの通信に応じて子局装置が親局装置に対する送信を行う親子通信方式により親局装置と子局装置とが通信を行い、管理装置が親局装置と通信を行い、子局装置が配下装置と通信を行う通信システムにおいて、
管理装置は、配下装置に対する要求情報を親局装置に対して送信する配下装置要求情報送信手段を備え、
親局装置は、管理装置から送信される配下装置要求情報を受信する配下装置要求情報受信手段と、受信した配下装置要求情報を親子通信方式により子局装置に対して送信する配下装置要求情報送信手段とを備え、
子局装置は、親局装置から送信される配下装置要求情報を受信する配下装置要求情報受信手段と、受信した配下装置要求情報を配下装置に対して送信する配下装置要求情報送信手段とを備え、
配下装置は、子局装置から送信される配下装置要求情報を受信する配下装置要求情報受信手段と、受信した配下装置要求情報に対する配下装置からの応答情報を子局装置に対して送信する配下装置応答情報送信手段とを備え、
更に、子局装置は、配下装置から送信される配下装置応答情報を受信する配下装置応答情報受信手段と、受信した配下装置応答情報を記憶する配下装置応答情報記憶手段と、親局装置からの送信要求に応じて配下装置応答情報記憶手段に記憶された配下装置応答情報を親子通信方式により親局装置に対して送信する配下装置応答情報送信手段とを備え、
親局装置は、子局装置から送信される配下装置応答情報を受信する配下装置応答情報受信手段と、受信した配下装置応答情報を管理装置に対して送信する配下装置応答情報送信手段とを備え、
管理装置は、親局装置から送信される配下装置応答情報を受信する配下装置応答情報受信手段と、受信した配下装置応答情報に基づいて配下装置を管理する配下装置管理手段とを備えた、
ことを特徴とする通信システム。
【発明の詳細な説明】
【０００１】
【発明の属する技術分野】
本発明は、親局装置からの通信に応じて子局装置が親局装置に対する送信を行う親子通信方式により親局装置と複数の子局装置とが通信を行い、管理装置が親局装置と通信を行い、子局装置が配下装置と通信を行う通信システムに関し、特に、管理装置により配下装置を管理する通信システムに関する。
【０００２】
【従来の技術】
例えば携帯電話システムなどの移動通信システムでは、基地局装置と移動局装置との間で無線により通信される信号を光信号へ変換して中継通信することが行われる。
図４には、無線周波数（ＲＦ：Ｒａｄｉｏ　Ｆｒｅｑｕｅｎｃｙ）帯の信号を光信号へ変換して伝送するＲＦ光伝送システムを用いて構成されたデータ通信システムの一例を示してある。
【０００３】
同図に示したデータ通信システムには、１つの親局装置４２とｎ個の子局装置Ｇ１〜Ｇｎのそれぞれとを光ケーブルＨ１〜Ｈｎを介して接続して構成されたＲＦ光伝送システムＸ２と、それぞれの子局装置Ｇ１〜ＧｎとＲＦ信号伝送用のケーブルＪ１〜Ｊｎを介して接続されたｎ個の被監視装置Ｉ１〜Ｉｎから構成された被監視装置群Ｙ２と、親局装置４２と例えばＲＳ―２３２Ｃのケーブル４３を介して接続された監視制御局装置（第１の監視制御局装置）４１と、親局装置とＲＦ信号伝送用のケーブル４５及び地気のケーブル４６を介して接続されたＢＴＳ（Ｂａｓｅ　Ｔｒａｎｓｃｅｉｖｅｒ　Ｓｙｓｔｅｍ）４４と、全ての被監視装置Ｉ１〜Ｉｎと例えばＲＳ―２３２Ｃのケーブル４８を介して接続された監視制御局装置（第２の監視制御局装置）４７とが備えられている。なお、ｎは２以上の整数であり、本例ではｎ＝４としている。
【０００４】
また、図５には、親局装置４２の構成例と、子局装置Ｇの構成例を示してある。ここで、各子局装置Ｇ１〜Ｇｎの構成や動作は同様であるため、同図では、これらをまとめて子局装置Ｇとしてその構成例を示してある。
また、本明細書では、親局装置から子局装置への通信を下り通信と言い、子局装置から親局装置への通信を上り通信と言う。
【０００５】
同図に示されるように、親局装置４２には、下り通信用の電気光変換部（Ｅ／Ｏ）５１と、上り通信用のｎ（＝４）個の光電気変換部（Ｏ／Ｅ）５２〜５５と、変調及び復調を行うモデム５６と、子局接続設定スイッチ（子局接続設定ＳＷ）５７と、装置番号設定スイッチ（装置番号設定ＳＷ）５８と、ＲＯＭ（Ｒｅａｄ　Ｏｎｌｙ　Ｍｅｍｏｒｙ）５９と、ＲＡＭ（Ｒａｎｄｏｍ　Ａｃｃｅｓｓ　Ｍｅｍｏｒｙ）６０と、例えばＣＰＵ（Ｃｅｎｔｒａｌ　Ｐｒｏｃｅｓｓｉｎｇ　Ｕｎｉｔ）などのプロセッサを用いて構成された制御部６１とが備えられている。
【０００６】
また、同図に示されるように、子局装置Ｇには、下り通信用の光電気変換部７１と、上り通信用の電気光変換部７２と、変調及び復調を行うモデム７３と、子局番号設定部７４と、ＲＯＭ７５と、ＲＡＭ７６と、例えばＣＰＵなどのプロセッサを用いて構成された制御部７７とが備えられている。
なお、例えば特開２０００−２７８１９６号公報の「無線中継装置」には、上記図４や上記図５に示したＲＦ光伝送システムＸ２と同様なシステムが記載されている。
【０００７】
上記図４や上記図５に示したデータ通信システムの動作例を示す。
親局装置４２は、通信上において複数の子局装置Ｇ１〜Ｇｎと接続関係を有しており、子局装置Ｇ１〜Ｇｎとの間でデータ通信を行う。このように、親局装置４２に対して複数の子局装置Ｇ１〜Ｇｎを接続することが可能である。そして、親局装置４２は、複数の子局装置Ｇ１〜Ｇｎの全てを任意に特定する機能を有している。
【０００８】
親局装置４２から子局装置Ｇ１〜Ｇｎへの通信（下り通信）では、例えば、全ての子局装置Ｇ１〜Ｇｎへ同報送信することが行われる。
また、子局装置Ｇ１〜Ｇｎから親局装置４２への通信（上り通信）では、例えば、各子局装置Ｇ１〜Ｇｎからの上り通信信号を親局装置４２側で単純に合成して受信することが行われる。
【０００９】
また、例えば各子局装置Ｇ１〜Ｇｎを監視などするために、親局装置４２と任意の子局装置Ｇ１〜Ｇｎとの間で通信を行う場合には、親局装置４２は子局装置Ｇ１〜Ｇｎへの通信に使用する電文で任意の子局番号を指定する。そして、各子局装置Ｇ１〜Ｇｎは、親局装置４２により指定された子局番号と自己装置（当該各子局装置Ｇ１〜Ｇｎ）の子局番号とを比較して、両者が一致する場合にのみ、親局装置４２に対して応答電文を送信する。このようにすることにより、親局装置４２と子局装置Ｇ１〜Ｇｎとの間での１対１の通信が実現される。
【００１０】
一例として、親局装置４２と複数の子局装置Ｇ１〜Ｇｎとの間のデータ通信は、ポーリング・セレクティング方式により親局装置４２が子局装置Ｇ１〜Ｇｎを選択して行われる。このような方式では、子局装置Ｇ１〜Ｇｎは、親局装置４２から受信したデータ信号が自己装置宛てであるか否かを判定して、自己装置宛てである場合には、親局装置４２に対する送信を行う。
【００１１】
なお、他の構成例として、親局装置に子局装置を切り替えるための下り通信用のセレクタや上り通信用のセレクタを備えて、下り通信や上り通信においてセレクタを切り替えることにより、下り通信や上り通信の通信相手となる子局装置を複数の子局装置の中で切り替えることが可能な構成とすることも可能である。
【００１２】
また、通常、親局装置４２は、上記のような通信を行うことにより、子局装置Ｇ１〜Ｇｎからの情報を定期的に取得して、子局装置Ｇ１〜Ｇｎの状態を監視する。
また、システムの上位に第１の監視制御局装置４１及び第２の監視制御局装置４７が接続される。第１の監視制御局装置４１や、第２の監視制御局装置４７は、例えばコンピュータを用いて構成される。
【００１３】
第１の監視制御局装置４１は親局装置４２に対して要求を行い、親局装置４２は第１の監視制御局装置４１からの要求に従って自己装置（当該親局装置４２）の状態と子局装置Ｇ１〜Ｇｎの状態を第１の監視制御局装置４１へ報告する。
【００１４】
また、第２の監視制御局装置４７は各被監視装置Ｉ１〜Ｉｎに対して要求を行い、各被監視装置Ｉ１〜Ｉｎは第２の監視制御局装置４７からの要求に従って自己装置（当該各被監視装置Ｉ１〜Ｉｎ）の状態を第２の監視制御局装置４７へ報告する。なお、各被監視装置Ｉ１〜Ｉｎとしては、例えば各子局装置Ｇ１〜Ｇｎに接続される増幅器やアンテナチルド装置などが用いられる。ここで、アンテナチルド装置は、アンテナの向きを制御する装置である。
【００１５】
【発明が解決しようとする課題】
しかしながら、上記図４や上記図５に示したような従来例に係るデータ通信システムでは、第２の監視制御局装置４７を例えばＲＳ−２３２Ｃのケーブル４８を介して各被監視装置Ｉ１〜Ｉｎと直接的に接続して、被監視装置Ｉ１〜Ｉｎを監視や制御することが行われていたため、当該監視や制御の構成などが複雑化してしまうといった不具合があった。
【００１６】
具体的には、例えば、ＲＦ光伝送システムＸ２とは別に、被監視装置Ｉ１〜Ｉｎと第２の監視制御局装置４７とを接続するための信号伝送路を確保する必要があり、通信設備の複雑化や高コスト化を招いていた。なお、無線により伝送路を確保する方法も考えられるが、これでは装置が高価になってしまうといった問題がある。
また、例えば、２つの監視制御局装置４１、４７を備えて両者を別々に動作させる構成であったため、ＲＦ光伝送システムＸ２及び被監視装置群Ｙ２を一括して管理することができないといった不便があった。
【００１７】
本発明は、このような従来の課題を解決するためになされたもので、親局装置からの通信に応じて子局装置が親局装置に対する送信を行う親子通信方式により親局装置と複数の子局装置とが通信を行い、管理装置が親局装置と通信を行い、子局装置が配下装置と通信を行う構成において、管理装置により配下装置を管理することができる通信システムを提供することを目的とする。
【００１８】
【課題を解決するための手段】
上記目的を達成するため、本発明に係る通信システムでは、親局装置と複数の子局装置とが通信可能に接続され、親局装置からの通信に応じて子局装置が親局装置に対する送信を行う親子通信方式により親局装置と子局装置とが通信を行い、管理装置が親局装置と通信を行い、子局装置が配下装置と通信を行う構成において、次のようにして、管理装置により配下装置を管理する。
【００１９】
すなわち、管理装置では、配下装置要求情報送信手段が配下装置に対する要求情報（配下装置要求情報）を親局装置に対して送信する。
親局装置では、配下装置要求情報受信手段が管理装置から送信される配下装置要求情報を受信し、配下装置要求情報送信手段が受信した配下装置要求情報を親子通信方式により子局装置に対して送信する。
子局装置では、配下装置要求情報受信手段が親局装置から送信される配下装置要求情報を受信し、配下装置要求情報送信手段が受信した配下装置要求情報を配下装置に対して送信する。
配下装置では、配下装置要求情報受信手段が子局装置から送信される配下装置要求情報を受信し、配下装置応答情報送信手段が受信した配下装置要求情報に対する当該配下装置からの応答情報（配下装置応答情報）を子局装置に対して送信する。
【００２０】
更に、子局装置では、配下装置応答情報受信手段が配下装置から送信される配下装置応答情報を受信し、配下装置応答情報記憶手段が受信した配下装置応答情報を記憶し、親局装置からの送信要求に応じて配下装置応答情報送信手段が配下装置応答情報記憶手段に記憶された配下装置応答情報を親子通信方式により親局装置に対して送信する。
親局装置では、配下装置応答情報受信手段が子局装置から送信される配下装置応答情報を受信し、配下装置応答情報送信手段が受信した配下装置応答情報を管理装置に対して送信する。
管理装置では、配下装置応答情報受信手段が親局装置から送信される配下装置応答情報を受信し、配下装置管理手段が受信した配下装置応答情報に基づいて配下装置を管理する。
【００２１】
従って、管理装置と親局装置との通信、親局装置と子局装置との通信、及び子局装置と配下装置との通信を用いて、管理装置により配下装置を管理することができるため、簡易な構成により配下装置を管理することができる。また、親局装置と子局装置との間では親子通信方式により通信が行われるが、このような親子通信方式を維持したまま、管理装置により配下装置を管理することができる。
【００２２】
ここで、通信システムや、親局装置や、子局装置や、配下装置としては、種々な構成のものが用いられてもよい。
また、配下装置としては、例えば、子局装置に接続される増幅器やアンテナチルド装置などの装置が用いられる。
また、配下装置は、例えば各子局装置毎に１又は２以上接続される。また、配下装置は、例えば、全ての子局装置に備えられてもよく、或いは、一部の子局装置のみに備えられてもよい。
また、複数の子局装置の数としては、種々な数が用いられてもよい。
【００２３】
また、親局装置と子局装置や、管理装置と親局装置や、子局装置と配下装置は、例えば、有線の回線を介して通信可能に接続され、或いは、無線の回線を介して通信可能に接続される構成が用いられてもよい。
また、親局装置と子局装置とや、管理装置と親局装置とや、子局装置と配下装置とは、例えば、回線を介して直接的に接続されてもよく、或いは、回線及び他の通信装置を介して間接的に接続されるような構成が用いられてもよい。
また、親局装置と複数の子局装置とは、例えば各子局装置毎に異なる回線を用いて接続される。
【００２４】
また、親局装置と子局装置との間で行われる通信や、管理装置と親局装置との間で行われる通信や、子局装置と配下装置との間で行われる通信としては、例えば、送信と受信とが同一の回線を用いて行われる態様が用いられてもよく、或いは、送信と受信とが異なる回線を用いて行われる態様などが用いられてもよい。
【００２５】
また、親局装置からの通信に応じて子局装置が親局装置に対する送信を行う親子通信方式としては、種々な通信方式が用いられてもよく、例えば、親局装置から子局装置への通信は任意のタイミングで行い得るが、子局装置から親局装置への通信は親局装置から当該子局装置への問い合わせや送信要求などの通信があった場合にのみ行われるような通信方式が用いられる。一例として、親局装置が複数の子局装置の１つずつに対して順番に問い合わせを行って、子局装置が当該問い合わせに対して必要な場合に親局装置への送信を行うポーリング方式を親子通信方式として用いることができる。
【００２６】
また、管理装置と親局装置との間では、例えば、要求情報や応答情報といった管理を行うための情報が通信される。
また、子局装置と配下装置との間では、例えば、要求情報や応答情報といった管理を行うための情報や、情報通信のための情報が通信される。
また、親局装置と子局装置との間では、例えば、要求情報や応答情報といった管理を行うための情報や、情報通信のための情報が通信される。
【００２７】
なお、例えば、管理を行うための情報（管理情報）については本発明に言う親子通信方式により親局装置と子局装置との間で通信され、情報通信のための情報（通信情報）については他の通信方式により親局装置と子局装置との間で通信されるような構成を用いることも可能である。一例として、親局装置が全ての子局装置に対して同一の通信情報を送信し、全ての子局装置からの通信情報を合成して受信するような構成を用いることも可能である。
【００２８】
また、配下装置要求情報としては、種々な情報が用いられてもよく、例えば、管理装置により配下装置を管理するために配下装置からの応答を要求するような情報が用いられる。具体的には、例えば、配下装置の状態を監視するために配下装置からの応答を要求するような情報や、配下装置を制御して当該制御の結果を確認するために配下装置からの応答を要求するような情報や、配下装置に対して既に行った制御の結果を確認するために配下装置からの応答を要求するような情報などが用いられる。
【００２９】
また、配下装置応答情報としては、種々な情報が用いられてもよく、例えば、管理装置により配下装置を管理するために使用される情報が用いられる。具体的には、例えば、配下装置の状態を通知する情報や、配下装置に対して管理装置により行われた制御の結果を通知する情報などが用いられる。
【００３０】
また、配下装置応答情報記憶手段としては、例えば情報を記憶するメモリなどを用いて構成することができる。
また、子局装置において受信した配下装置応答情報を配下装置応答情報記憶手段により記憶する態様としては、例えば、子局装置において受信した配下装置応答情報を親局装置に対して送信するまでの間一時的に記憶しておくような態様が用いられる。つまり、親局装置と子局装置との親子通信方式では、親局装置からの通信に応じて子局装置が親局装置に対する送信を行うため、子局装置では配下装置から受信した配下装置応答情報を親局装置に対して送信するまでの間記憶しておく。
【００３１】
また、管理装置において受信した配下装置応答情報に基づいて配下装置管理手段により配下装置を管理する態様としては、種々な態様が用いられてもよく、例えば、管理装置により配下装置を監視する態様や、管理装置により配下装置を制御する態様などを用いることができる。具体的には、例えば、配下装置応答情報として配下装置の状態に関する情報を受信して当該情報に基づいて配下装置の状態を監視するような態様や、配下装置応答情報として配下装置に対して行った制御の結果の情報を受信して当該情報に基づいて当該制御結果を確認するような態様などを用いることができる。
【００３２】
以下で、本発明に係る通信システムの種々な構成例を示す。
本発明に係る通信システムでは、一構成例として、配下装置には識別情報が割り当てられており、管理装置の配下装置要求情報送信手段は要求対象となる配下装置の識別情報を含む配下装置要求情報を送信し、配下装置の配下装置応答情報送信手段は自己装置（当該配下装置）の識別情報を含む配下装置応答情報を送信する。
【００３３】
ここで、配下装置の識別情報としては、各配下装置を識別するための種々な情報が用いられてもよく、例えば各配下装置毎に固有な情報が用いられる。
また、要求対象となる配下装置とは、配下装置要求情報の送信先となる配下装置のことである。
また、配下装置要求情報や配下装置応答情報が配下装置の識別情報を含む形式としては、種々な形式が用いられてもよい。
【００３４】
また、本発明に係る通信システムでは、一構成例として、親局装置と子局装置とは光通信回線を介して接続され、親局装置と子局装置とは光通信回線を介して光信号を通信する。
ここで、光通信回線としては、例えば光ファイバなどを用いることができる。
また、光信号としては、種々な光通信方式の信号が用いられてもよい。
【００３５】
また、本発明に係る通信システムでは、一構成例として、次のようにして、管理装置により親局装置を管理する。
すなわち、管理装置では、親局装置要求情報送信手段が親局装置に対する要求情報（親局装置要求情報）を親局装置に対して送信する。
親局装置では、親局装置要求情報受信手段が管理装置から送信される親局装置要求情報を受信し、親局装置応答情報送信手段が受信した親局装置要求情報に対する当該親局装置からの応答情報（親局装置応答情報）を管理装置に対して送信する。
【００３６】
更に、管理装置では、親局装置応答情報受信手段が親局装置から送信される親局装置応答情報を受信し、親局装置管理手段が受信した親局装置応答情報に基づいて親局装置を管理する。
このような構成では、例えば親局装置の管理と配下装置の管理とを管理装置により一括して行うことが可能である。
【００３７】
ここで、親局装置要求情報としては、種々な情報が用いられてもよく、例えば、管理装置により親局装置を管理するために親局装置からの応答を要求するような情報が用いられる。具体的には、例えば、親局装置の状態を監視するために親局装置からの応答を要求するような情報や、親局装置を制御して当該制御の結果を確認するために親局装置からの応答を要求するような情報や、親局装置に対して既に行った制御の結果を確認するために親局装置からの応答を要求するような情報などが用いられる。
【００３８】
また、親局装置応答情報としては、種々な情報が用いられてもよく、例えば、管理装置により親局装置を管理するために使用される情報が用いられる。具体的には、例えば、親局装置の状態を通知する情報や、親局装置に対して管理装置により行われた制御の結果を通知する情報などが用いられる。
【００３９】
また、管理装置において受信した親局装置応答情報に基づいて親局装置管理手段により親局装置を管理する態様としては、種々な態様が用いられてもよく、例えば、管理装置により親局装置を監視する態様や、管理装置により親局装置を制御する態様などを用いることができる。具体的には、例えば、親局装置応答情報として親局装置の状態に関する情報を受信して当該情報に基づいて親局装置の状態を監視するような態様や、親局装置応答情報として親局装置に対して行った制御の結果の情報を受信して当該情報に基づいて当該制御結果を確認するような態様などを用いることができる。
【００４０】
また、本発明に係る通信システムでは、一構成例として、次のようにして、親局装置により子局装置を管理する。
すなわち、親局装置では、子局装置要求情報送信手段が子局装置に対する要求情報（子局装置要求情報）を親子通信方式により子局装置に対して送信する。
子局装置では、子局装置要求情報受信手段が親局装置から送信される子局装置要求情報を受信し、親局装置からの送信要求に応じて子局装置応答情報送信手段が受信した子局装置要求情報に対する当該子局装置からの応答情報（子局装置応答情報）を親子通信方式により親局装置に対して送信する。
更に、親局装置では、子局装置応答情報受信手段が子局装置から送信される子局装置応答情報を受信し、子局装置管理手段が受信した子局装置応答情報に基づいて子局装置を管理する。
【００４１】
なお、親局装置に子局装置管理手段を備える代わりに或いは備えるとともに、管理装置に子局装置管理手段を備えることも可能である。
具体的には、例えば、親局装置では、子局装置応答情報送信手段が受信した子局装置応答情報を管理装置に対して送信する。そして、管理装置では、子局装置応答情報受信手段が親局装置から送信される子局装置応答情報を受信し、子局装置管理手段が受信した子局装置応答情報に基づいて子局装置を管理する。
【００４２】
更に、例えば、管理装置に親局装置に対して子局装置応答情報の送信要求（子局装置応答情報送信要求）を行う子局装置応答情報送信要求手段を備え、親局装置に受信した子局装置応答情報を記憶する子局装置応答情報記憶手段及び管理装置からの子局装置応答情報送信要求を受信する子局装置応答情報送信要求受信手段を備え、親局装置の子局装置応答情報送信手段が管理装置から子局装置応答情報送信要求を受信したことに応じて子局装置応答情報記憶手段に記憶された子局装置応答情報を管理装置に対して送信するような構成とすることも可能である。このような構成では、例えば親局装置の管理と子局装置の管理と配下装置の管理とを管理装置により一括して行うことが可能である。
【００４３】
ここで、子局装置要求情報としては、種々な情報が用いられてもよく、例えば、親局装置や管理装置により子局装置を管理するために子局装置からの応答を要求するような情報が用いられる。具体的には、例えば、子局装置の状態を監視するために子局装置からの応答を要求するような情報や、子局装置を制御して当該制御の結果を確認するために子局装置からの応答を要求するような情報や、子局装置に対して既に行った制御の結果を確認するために子局装置からの応答を要求するような情報などが用いられる。
【００４４】
また、子局装置応答情報としては、種々な情報が用いられてもよく、例えば、親局装置や管理装置により子局装置を管理するために使用される情報が用いられる。具体的には、例えば、子局装置の状態を通知する情報や、子局装置に対して親局装置や管理装置により行われた制御の結果を通知する情報などが用いられる。
【００４５】
また、親局装置や管理装置において受信した子局装置応答情報に基づいて子局装置管理手段により子局装置を管理する態様としては、種々な態様が用いられてもよく、例えば、親局装置や管理装置により子局装置を監視する態様や、親局装置や管理装置により子局装置を制御する態様などを用いることができる。具体的には、例えば、子局装置応答情報として子局装置の状態に関する情報を受信して当該情報に基づいて子局装置の状態を監視するような態様や、子局装置応答情報として子局装置に対して行った制御の結果の情報を受信して当該情報に基づいて当該制御結果を確認するような態様などを用いることができる。
【００４６】
なお、以上に示したような本発明に係る通信システムは、例えば、携帯電話システムなどの移動通信システムにおいて通信信号を中継するシステムに適用することが可能である。
一構成例として、本発明に係る通信システムでは、移動通信システムの基地局装置が親局装置と直接的或いは間接的に接続され、当該移動通信システムの他の基地局装置が子局装置と直接的或いは間接的に接続され、各基地局装置は当該各基地局装置により収容する１又は複数の移動局装置と無線により通信する。そして、親局装置と子局装置は、親局装置に接続された基地局装置と子局装置に接続された基地局装置との間で通信信号を中継通信する。
【００４７】
具体的には、例えば、親局装置が当該親局装置に接続された基地局装置から通信信号を受信して子局装置へ送信し、子局装置が親局装置から通信信号を受信して当該子局装置に接続された基地局装置へ送信する。或いは、子局装置が当該子局装置に接続された基地局装置から通信信号を受信して親局装置へ送信し、親局装置が子局装置から通信信号を受信して当該親局装置に接続された基地局装置へ送信する。
【００４８】
【発明の実施の形態】
本発明に係る一実施例を図面を参照して説明する。
図１には、本発明の一実施例に係るデータ通信システムの構成例を示してある。
本例のデータ通信システムには、ＲＦ光伝送システムＸ１と、被監視装置群Ｙ１と、監視制御局装置１と、ＢＴＳ４が備えられている。
また、ＲＦ光伝送システムＸ１には、１つの親局装置２と、ｎ個の子局装置Ａ１〜Ａｎが備えられている。また、親局装置２と各子局装置Ａ１〜Ａｎとは、それぞれ異なる光ケーブルＢ１〜Ｂｎを介して通信可能に接続されている。なお、ｎは２以上の整数であり、本例ではｎ＝４としている。
【００４９】
また、親局装置２は、当該親局装置２の上位に備えられた監視制御局装置１と例えばＲＳ−２３２Ｃのケーブル３を介して通信可能に接続されている。
また、ＢＴＳ４と親局装置２とは、例えばＲＦ信号伝送用のケーブル５や地気のケーブル６を介して通信可能に接続されている。
【００５０】
また、被監視装置群Ｙ１は、ｎ個の被監視装置Ｃ１〜Ｃｎから構成されている。また、各子局装置Ａ１〜Ａｎの配下に備えられた各被監視装置Ｃ１〜Ｃｎは、それぞれ、当該各子局装置Ａ１〜Ａｎと例えばＲＳ−２３２ＣのケーブルＤ１〜ＤｎやＲＦ信号伝送用のケーブルＥ１〜Ｅｎや地気のケーブルＦ１〜Ｆｎを介して通信可能に接続されている。
【００５１】
ここで、監視制御局装置１は、例えばコンピュータを用いて構成されており、各装置２、Ａ１〜Ａｎ、Ｃ１〜Ｃｎのアラーム情報などの状態を取得することや、被監視装置Ｃ１〜Ｃｎとして用いられる増幅器（ＡＭＰ）などのオン／オフ切替などの制御を行う。本例では、被監視装置Ｃ１〜Ｃｎが監視制御局装置１により監視や制御を行う対象となり、また、ＲＦ光伝送システムＸ１自体もこのような監視や制御の対象となり得る。また、親局装置２は、監視制御局装置１からの要求に対応してＲＦ光伝送システムＸ１の状態などを監視制御局装置１に対して報告する。
【００５２】
また、地気のケーブル６、Ｆ１〜Ｆｎとしては、例えばオープン／ショートの信号線が用いられる。このような地気のケーブル６、Ｆ１〜Ｆｎでは、例えばＲＳ−２３２Ｃによるシリアルの通信と比べて確実に装置の監視や制御を行うことが可能である。具体的には、リセット信号の入力や、アラーム信号の出力などに地気のケーブル６、Ｆ１〜Ｆｎを用いることが可能である。
【００５３】
また、本例では、親局装置２や、各子局装置Ａ１〜Ａｎや、各被監視装置Ｃ１〜Ｃｎには、それぞれ固有な識別情報が設定されている。本例では、このような識別情報として、各装置２、Ａ１〜Ａｎ、Ｃ１〜Ｃｎを識別するための番号の情報（装置番号）が用いられている。
【００５４】
図２には、親局装置２の構成例と、子局装置Ａの構成例を示してある。ここで、本例では、各子局装置Ａ１〜Ａｎの構成や動作は同様であるため、同図では、これらをまとめて子局装置Ａとしてその構成例を示してある。
同図に示されるように、親局装置２には、下り通信用の電気光変換部（Ｅ／Ｏ）１１と、上り通信用のｎ（＝４）個の光電気変換部（Ｏ／Ｅ）１２〜１５と、変調及び復調を行うモデム１６と、子局接続設定スイッチ（子局接続設定ＳＷ）１７と、被監視装置接続設定スイッチ（被監視装置接続設定ＳＷ）１８と、装置番号設定スイッチ（装置番号設定ＳＷ）１９と、ＲＯＭ２０と、ＲＡＭ２１と、例えばＣＰＵなどのプロセッサを用いて構成された制御部２２とが備えられている。
【００５５】
また、同図に示されるように、子局装置Ａには、下り通信用の光電気変換部３１と、上り通信用の電気光変換部３２と、変調及び復調を行うモデム３３と、子局番号設定部３４と、ＲＯＭ３５と、ＲＡＭ３６と、例えばＣＰＵなどのプロセッサを用いて構成された制御部３７とが備えられている。
【００５６】
まず、親局装置２の動作例を説明する。
電気光変換部１１は、例えばＢＴＳ４からＲＦ信号伝送用のケーブル５を介して入力される下り通信のＲＦ信号、或いは、当該ＲＦ信号とモデム１６からの制御データ変調信号とが重畳された信号を、電気信号から光信号へ変換して光ケーブルＢ１〜Ｂｎを介して接続された全ての子局装置Ａ１〜Ａｎに対して送信する。
【００５７】
各光電気変換部１２〜１５は、各子局装置Ａ１〜Ａｎから送信される光信号を各光ケーブルＢ１〜Ｂｎを介して受信し、受信した光信号を電気信号へ変換してモデム１６へ出力する。また、例えば全ての子局装置Ａ１〜Ａｎからの信号が合成されて、上り通信のＲＦ信号として、ＲＦ信号伝送用のケーブル５を介してＢＴＳ４へ出力される。
【００５８】
モデム１６は、制御部２２から入力される制御データ信号を変調して当該変調結果である制御データ変調信号を下り通信のＲＦ信号と重畳させ、また、子局装置Ａ１〜Ａｎから受信した信号に含まれる制御データ変調信号のみが分離された信号を復調して当該復調結果である制御データ信号を制御部２２へ出力する。
【００５９】
子局接続設定スイッチ１７は、例えば、子局装置Ａ１〜Ａｎの接続状態に関する情報をユーザにより設定するためのスイッチである。
被監視装置接続設定スイッチ１８は、例えば、被監視装置Ｃ１〜Ｃｎの接続状態に関する情報をユーザにより設定するためのスイッチである。
装置番号設定スイッチ１９は、例えば、装置番号に関する情報をユーザにより設定するためのスイッチである。本例では、例えば自己装置（当該親局装置２）の装置番号の情報が装置番号設定スイッチ１９により設定される。
【００６０】
ＲＯＭ２０は、情報を記憶する機能を有しており、例えば制御プログラムなどの情報を記憶している。
ＲＡＭ２１は、情報を記憶する機能を有しており、例えば制御部２２により行われる処理の作業領域として用いられる。
制御部２２は、種々な処理や制御を行う機能を有しており、例えばＲＳ−２３２Ｃのケーブル３を介して監視制御局装置１との間で信号を通信する機能を有している。
【００６１】
次に、各子局装置Ａ１〜Ａｎの動作例を説明する。
光電気変換部３１は、親局装置２から送信される光信号を光ケーブルＢ１〜Ｂｎを介して受信し、受信した光信号を電気信号へ変換してモデム３３へ出力する。また、親局装置２から受信した信号が下り通信のＲＦ信号として例えばＲＦ信号伝送用のケーブルＥ１〜Ｅｎを介して配下の被監視装置Ｃ１〜Ｃｎへ出力される。
【００６２】
電気光変換部３２は、例えば配下の被監視装置Ｃ１〜ＣｎからＲＦ信号伝送用のケーブルＥ１〜Ｅｎを介して入力される上り通信のＲＦ信号、或いは、当該ＲＦ信号とモデム３３からの制御データ変調信号とが重畳された信号を、電気信号から光信号へ変換して光ケーブルＢ１〜Ｂｎを介して親局装置２に対して送信する。
【００６３】
モデム３３は、制御部３７から入力される制御データ信号を変調して当該変調結果である制御データ変調信号を上り通信のＲＦ信号と重畳させ、また、親局装置２から受信した信号に含まれる制御データ変調信号のみが分離された信号を復調して当該復調結果である制御データ信号を制御部３７へ出力する。
子局番号設定部３４は、例えば自己装置（当該子局装置Ａ１〜Ａｎ）の装置番号を設定する。
【００６４】
ＲＯＭ３５は、情報を記憶する機能を有しており、例えば制御プログラムなどの情報を記憶している。
ＲＡＭ３６は、情報を記憶する機能を有しており、例えば制御部３７により行われる処理の作業領域として用いられる。
制御部３７は、種々な処理や制御を行う機能を有しており、例えばＲＳ−２３２ＣのケーブルＤ１〜Ｄｎや地気のケーブルＦ１〜Ｆｎを介して被監視装置Ｃ１〜Ｃｎとの間で信号を通信する機能を有している。
【００６５】
次に、上記図１や上記図２に示した本例のデータ通信システムにより行われる処理の一例を示す。
まず、例えば各子局装置Ａ１〜Ａｎなどを監視などするために、親局装置２と子局装置Ａ１〜Ａｎとの間で行われる通信（親子通信）について説明する。
親局装置２は、子局装置Ａ１〜Ａｎに対して、子局番号を指定して情報取得用の電文を送信する。
【００６６】
ここで、子局番号は、各子局装置Ａ１〜Ａｎに設定された装置番号のことである。
本例では、子局番号は、“０１ｈ”（ｈは１６進数を表す）から始まるものとし、“００ｈ”及び“ＦＦｈ”は通常の子局番号としては扱わないものとする。そして、子局番号“００ｈ”を指定した電文は、全ての子局装置Ａ１〜Ａｎに対する電文であるとして扱い、また、子局番号“ＦＦｈ”を指定した電文は、子局番号が未定義である（つまり、未だに設定されていない）子局装置Ａ１〜Ａｎに対する電文であるとして扱う。
【００６７】
各子局装置Ａ１〜Ａｎは、親局装置２から受信した電文で指定された子局番号と自己装置（当該各子局装置Ａ１〜Ａｎ）に設定されている子局番号とを比較して、両者が一致していた場合にのみ、親局装置２に対して応答電文を送信する。一方、両者の子局番号が一致しない場合には、各子局装置Ａ１〜Ａｎは、親局装置２から受信した電文を破棄して、応答電文の送信を行わない。
【００６８】
なお、本例では、各子局装置Ａ１〜Ａｎは、親局装置２からの要求に応じて、自己装置（当該各子局装置Ａ１〜Ａｎ）の状態に関する情報などを応答電文により親局装置２に対して送信する。
また、本例では、各子局装置Ａ１〜Ａｎは、親局装置２からの要求が無い場合には親局装置２に対して自発的に電文を送信することはない。このように電文を送信する子局装置Ａ１〜Ａｎを親局装置２が指定する構成としたのは、親局装置２が上り通信の信号の受信において各子局装置Ａ１〜Ａｎからの信号を単純に合成するためである。
【００６９】
次に、監視制御局装置１と親局装置２との間で行われる通信（監視制御通信）について説明する。
監視制御局装置１は、親局装置２に対して、装置番号を指定して電文を送信する。ここで、監視制御局装置１から送信される電文としては、例えば情報取得用の電文や、各種のサービス（機能）のオン／オフを切り替えるための電文などがある。
【００７０】
親局装置２は、監視制御局装置１から受信した電文で指定された装置番号と自己装置（当該親局装置２）の装置番号とを比較して、両者が一致する場合にのみ、監視制御局装置１に対して応答電文を送信する。一方、両者の装置番号が一致しない場合には、親局装置２は監視制御局装置１に対して応答電文を送信しない。
また、親局装置２は、監視制御局装置１に対して応答電文によりシステムに関する情報（システム情報）を送信する場合に、例えば自己装置（当該親局装置２）に関する情報などと共に、上記で説明した親子通信により子局装置Ａ１〜Ａｎから取得した情報（子局情報）を併せて監視制御局装置１に対して送信する。
【００７１】
次に、例えば各被監視装置Ｃ１〜Ｃｎを監視などするために、監視制御局装置１と被監視装置Ｃ１〜Ｃｎとの間で行われる通信（被監視制御通信）について説明する。
監視制御局装置１は、親局装置２に対して、被監視装置Ｃ１〜Ｃｎの装置番号を指定して電文を送信する。ここで、監視制御局装置１から送信される電文としては、例えば情報取得用の電文や、サービス（機能）のオン／オフを切り替えるための電文などがある。
【００７２】
親局装置２は、監視制御局装置１から受信した電文で指定された装置番号と自己装置（当該親局装置２）の装置番号とを比較して、両者が一致する場合には、自己装置に対する電文であるとして応答電文を監視制御局装置１に対して送信する。一方、両者の装置番号が一致しない場合には、親局装置２は、被監視装置接続設定スイッチ１８を検査して、自己装置の配下に電文で指定された装置番号の被監視装置Ｃ１〜Ｃｎが接続されているか否かを判定し、配下に電文で指定された装置番号の被監視装置Ｃ１〜Ｃｎが接続されている場合には、監視制御局装置１から受信した電文（監視制御電文）を親子通信用の電文（親子通信電文）へ変換して子局装置Ａ１〜Ａｎに対して送信する。
【００７３】
この場合、親局装置２は、例えば、子局番号“００ｈ”を指定することにより、子局装置Ａ１〜Ａｎに対する電文を全ての子局装置Ａ１〜Ａｎに対して同報送信する。
また、監視制御電文から親子通信電文への電文の変換は、例えば親子通信電文中のデータ部に監視制御電文を格納する形式で行う。
また、被監視装置接続設定スイッチ１８では、例えば親局装置２の配下に子局装置Ａ１〜Ａｎを介して接続されている被監視装置Ｃ１〜Ｃｎの装置番号を特定する情報が設定されている。
【００７４】
子局装置Ａ１〜Ａｎは、親局装置２から受信した電文に監視制御電文が含まれている場合には、当該監視制御電文を取り出して配下の被監視装置Ｃ１〜Ｃｎに対して送信する。この時、子局装置Ａ１〜Ａｎは、例えば親局装置２から受信した当該親子通信電文に対する応答電文を送信しない。
【００７５】
被監視装置Ｃ１〜Ｃｎは、子局装置Ａ１〜Ａｎから受信した電文で指定された装置番号と自己装置（当該被監視装置Ｃ１〜Ｃｎ）の装置番号とを比較して、両者が一致する場合にのみ、子局装置Ａ１〜Ａｎに対して応答電文を送信する。一方、両者の装置番号が一致しない場合には、被監視装置Ｃ１〜Ｃｎは子局装置Ａ１〜Ａｎに対して応答電文を送信しない。
【００７６】
被監視装置Ｃ１〜Ｃｎが応答電文を送信した場合には、子局装置Ａ１〜Ａｎは当該応答電文を受信して内部のメモリに記憶（バッファリング）しておく。
その後、子局装置Ａ１〜Ａｎは、親子通信における親局装置２からの情報取得要求があった際に、バッファリングしている被監視装置Ｃ１〜Ｃｎからの応答電文を親子通信電文に格納して親局装置２に対して送信する。
【００７７】
親局装置２は、子局装置Ａ１〜Ａｎから受信した電文に被監視装置Ｃ１〜Ｃｎからの応答電文が含まれる場合には、当該被監視装置Ｃ１〜Ｃｎからの応答電文を取り出して監視制御局装置１に対して送信する。
そして、監視制御局装置１は、被監視装置Ｃ１〜Ｃｎからの応答電文を親局装置２から受信し、受信した当該被監視装置Ｃ１〜Ｃｎからの応答電文を用いて、被監視装置Ｃ１〜Ｃｎの監視や制御などの管理を行う。
このようにして、本例のデータ通信システムでは、監視制御局装置１と被監視装置Ｃ１〜Ｃｎとの通信が可能となる。
【００７８】
なお、本例では、被監視装置接続設定スイッチ１８の設定内容に基づいて、送信することが必要な被監視装置Ｃ１〜Ｃｎへの電文のみを選択して親局装置２から子局装置Ａ１〜Ａｎに対して送信すること（電文のフィルタリング）を行う構成としたが、例えば送信することが必要ではない装置番号に対する電文を監視制御局装置１が親局装置２へ送信しないことが保証されているようなシステムである場合には、このような電文のフィルタリングが行われなくともよい。
【００７９】
次に、図３を参照して、本例のようなデータ通信システムにより行われる処理の一例を具体的に示す。
同図には、本例のようなデータ通信システムにより行われる電文伝送処理の時間的な流れの一例を示してある。
【００８０】
同図に示した例では、監視制御局装置Ｑ１と長距離ベース（ＢＡＳＥ）装置Ｑ２とが接続されており、長距離ベース装置Ｑ２と長距離アクセス（ＡＣＣＥＳＳ）装置Ｑ３とが接続されており、長距離アクセス装置Ｑ３と屋外ベース装置Ｑ４とが接続されており、屋外ベース装置Ｑ４と２つの屋外アクセス装置Ｑ５、Ｑ７とが接続されており、屋外アクセス装置Ｑ５と被監視装置Ｑ６とが接続されており、屋外アクセス装置Ｑ７と被監視装置Ｑ８とが接続されている。
【００８１】
また、本例では、長距離ベース装置Ｑ２の装置番号Ｐ＝ｍ１であり、長距離アクセス装置Ｑ３の装置番号Ｅ＝１であり、屋外ベース装置Ｑ４の装置番号Ｐ＝ｍ２であり、屋外アクセス装置Ｑ５の装置番号Ｅ＝ｎ１であり、被監視装置Ｑ６の装置番号Ｐ＝ｍ３であり、屋外アクセス装置Ｑ７の装置番号Ｅ＝ｎ２であり、被監視装置Ｑ８の装置番号Ｐ＝ｍ４である。
【００８２】
また、本例では、長距離ベース装置Ｑ２と長距離アクセス装置Ｑ３とがそれぞれ親局装置と子局装置の関係にあり、屋外ベース装置Ｑ４と２つの屋外アクセス装置Ｑ５、Ｑ７とがそれぞれ親局装置と２つの子局装置の関係にある。そして、それぞれの親子関係にある装置間では、例えば定期的に親局装置が子局装置に対して装置状態の報告を要求する信号を送信し、子局装置が当該状態要求に応じて親局装置に対して装置状態を報告する信号を送信する。
また、本例では、被監視装置Ｑ６が屋外アクセス装置Ｑ５の配下にあり、被監視装置Ｑ８が屋外アクセス装置Ｑ７の配下にある。
【００８３】
同図に示した電文伝送処理を説明する。
まず、監視制御局装置Ｑ１が、装置番号“ｍ１”を指定した要求電文Ａと、装置番号“ｍ２”を指定した要求電文Ｂと、装置番号“ｍ３”を指定した要求電文３と、装置番号“ｍ４”を指定した要求電文Ｄを長距離ベース装置Ｑ２に対して送信する。
【００８４】
長距離ベース装置Ｑ２は、受信した要求電文Ａに対しては自己装置（当該長距離ベース装置Ｑ２）の装置番号“ｍ１”を含んだ応答電文Ａを監視制御局装置Ｑ１に対して送信し、受信した他の要求電文Ｂ、Ｃ、Ｄについてはそれぞれ親子通信電文に含めて長距離アクセス装置Ｑ３に対して送信する。
長距離アクセス装置Ｑ３は、受信した３つの親子通信電文に含まれる３つの要求電文Ｂ、Ｃ、Ｄをそれぞれ取り出して屋外ベース装置Ｑ４に対して送信する。
【００８５】
屋外ベース装置Ｑ４は、受信した要求電文Ｂに対しては自己装置（当該屋外ベース装置Ｑ４）の装置番号“ｍ２”を含んだ応答電文Ｂを長距離アクセス装置Ｑ３に対して送信し、受信した他の要求電文Ｃ、Ｄについてはそれぞれ親子通信電文に含めて２つの屋外アクセス装置Ｑ５、Ｑ７に対して送信する。
【００８６】
ここで、長距離アクセス装置Ｑ３は、屋外ベース装置Ｑ４から受信した応答電文Ｂを一時的に記憶し、自己装置（当該長距離アクセス装置Ｑ３）の装置番号“１”が指定された長距離ベース装置Ｑ２からの状態要求を受信した場合に当該記憶した応答電文Ｂを親子通信電文に含めて長距離ベース装置Ｑ２に対して送信する。また、長距離ベース装置Ｑ２は、受信した当該親子通信電文から応答電文Ｂを取り出して監視制御局装置Ｑ１に対して送信する。
【００８７】
また、各屋外アクセス装置Ｑ５、Ｑ７は、受信した親子通信電文から２つの要求電文Ｃ、Ｄを取り出して配下の被監視装置Ｑ６、Ｑ８に対して送信する。
各被監視装置Ｑ６、Ｑ８は、２つの要求電文Ｃ、Ｄを受信した場合に、指定された装置番号が自己装置（当該各被監視装置Ｃ１〜Ｃｎ）の装置番号と一致する要求電文Ｃ、Ｄに対して、自己装置の装置番号“ｍ３”、“ｍ４”を含んだ応答電文Ｃ、Ｄを各屋外アクセス装置Ｑ５、Ｑ７に対して送信する。
【００８８】
また、各屋外アクセス装置Ｑ５、Ｑ７は、配下の被監視装置Ｑ６、Ｑ８から受信した応答電文Ｃ、Ｄを一時的に記憶し、自己装置（当該各屋外アクセス装置Ｑ５、Ｑ７）の装置番号“ｎ１”、“ｎ２”が指定された屋外ベース装置Ｑ４からの状態要求があった場合に当該記憶した応答電文Ｃ、Ｄを親子通信電文に含めて屋外ベース装置Ｑ４に対して送信する。また、屋外ベース装置Ｑ４は、各屋外アクセス装置Ｑ５、Ｑ７から受信した応答電文Ｃ、Ｄを長距離アクセス装置Ｑ３に対して送信する。
【００８９】
長距離アクセス装置Ｑ３は、屋外ベース装置Ｑ４から受信した応答電文Ｃ、Ｄを一時的に記憶し、自己装置（当該長距離アクセス装置Ｑ３）の装置番号“１”が指定された長距離ベース装置Ｑ２からの状態要求があった場合に当該記憶した応答電文Ｃ、Ｄを親子通信電文に含めて長距離ベース装置Ｑ２に対して送信する。また、長距離ベース装置Ｑ２は、長距離アクセス装置Ｑ３から受信した応答電文Ｃ、Ｄを監視制御局装置Ｑ１に対して送信する。
【００９０】
以上のように、本例のデータ通信システムでは、１つの親局装置２と複数であるｎ個の子局装置Ａ１〜Ａｎとが親子関係を有するように複数の装置がデータ通信上で接続されており、親局装置２は各子局装置Ａ１〜Ａｎに付与されたユニークな子局番号を用いて複数の子局装置Ａ１〜Ａｎに対する同報送信を行い、各子局装置Ａ１〜Ａｎは自己装置（当該各子局装置Ａ１〜Ａｎ）の子局番号と一致する子局番号が含まれる受信データに対してのみ応答し、この結果として親局装置２と各子局装置Ａ１〜Ａｎとで１対１のデータ通信を可能としてある。
【００９１】
そして、本例のデータ通信システムでは、親局装置２は、定期的に各子局装置Ａ１〜Ａｎが有する情報を親子通信により取得し、また、監視制御局装置１からの要求に対して指定された装置番号が自己装置（当該親局装置２）の装置番号と一致する場合には対応する処理を行って対応する応答電文を監視制御局装置１に対して送信し、一方、両者の装置番号が一致しない場合には監視制御局装置１から受信した電文を親子通信用の形式へ変換して子局装置Ａ１〜Ａｎに対して送信する。
【００９２】
また、本例のデータ通信システムでは、子局装置Ａ１〜Ａｎは、親局装置２から受信した電文に被監視装置Ｃ１〜Ｃｎに対する電文が含まれる場合には当該電文を配下の被監視装置Ｃ１〜Ｃｎに対して送信し、また、配下の被監視装置Ｃ１〜Ｃｎからの応答電文を受信した場合には、当該応答電文を一旦保持した後に、親局装置２からの子局情報取得の要求に対して当該応答電文を親子通信電文に含めて親局装置２に対して送信する。また、親局装置２は、親子通信により子局装置Ａ１〜Ａｎから受信した情報に被監視装置Ｃ１〜Ｃｎからの応答電文が含まれる場合には、当該応答電文を監視制御局装置１に対して送信する。
【００９３】
このように、本例のデータ通信システムでは、監視制御局装置１と被監視装置群Ｙ１との信号伝送路をＲＦ光伝送システムＸ１内で確保して、監視制御局装置１により被監視装置Ｃ１〜Ｃｎの状態の監視や制御などを行うための制御信号を伝送することを可能とし、これにより、ＲＦ光伝送システムＸ１の上位（親局装置２側）に接続された監視制御局装置１とＲＦ光伝送システムＸ１の下位（子局装置Ａ１〜Ａｎ側）に接続された被監視装置Ｃ１〜Ｃｎとの間でのデータ通信を可能としている。
【００９４】
従って、本例のデータ通信システムでは、被監視装置Ｃ１〜Ｃｎの監視や制御を簡易な構成で実現することができ、全体的なシステム構築における自由度を増大させることができ、また、本例のデータ通信システムでは、例えば監視制御局装置１によりＲＦ光伝送システムＸ１及び被監視装置群Ｙ１を一括して管理することが可能である。
また、本例のデータ通信システムでは、被監視装置Ｃ１〜Ｃｎからの応答電文を親局装置２が親子通信方式により子局装置Ａ１〜Ａｎから取得する構成であるため、子局装置Ａ１〜Ａｎの状態監視などを中断してしまうことがない。
【００９５】
具体的には、本例のＲＦ光伝送システムＸ１では、親子通信により親局装置２が子局装置Ａ１〜Ａｎの状態監視を行っており、また、この状態監視は、親局装置２からの要求に対して該当する子局装置Ａ１〜Ａｎが応答を行うポーリング方式を用いて行われている。本例では、このような子局装置Ａ１〜Ａｎに関する状態監視機能を実現したまま、監視制御局装置１と被監視装置群Ｙ１との伝送路を確保するために、監視制御局装置１と被監視装置群Ｙ１との間で通信される信号をＲＦ光伝送システムＸ１内においては親子通信のフォーマットへ変換して親子通信方式として用いられているポーリング方式に当てはめており、これにより、例えば２種の信号のぶつかりなどの不都合の無いプロトコルとしている。
【００９６】
なお、本例では、監視制御局装置１により管理装置が構成されており、被監視装置Ｃ１〜Ｃｎにより配下装置が構成されている。
また、本例では、被監視装置Ｃ１〜Ｃｎの状態の報告などを要求する情報により配下装置要求情報が構成されており、被監視装置Ｃ１〜Ｃｎの状態の報告などを行う情報により配下装置応答情報が構成されている。
また、本例では、親局装置２や各子局装置Ａ１〜Ａｎや各被監視装置Ｃ１〜Ｃｎに装置番号が識別情報として割り当てられている。
【００９７】
また、本例では、監視制御局装置１には配下装置要求情報送信手段や配下装置応答情報受信手段や配下装置管理手段が備えられており、親局装置２には配下装置要求情報受信手段や配下装置要求情報送信手段や配下装置応答情報受信手段や配下装置応答情報送信手段が備えられており、各子局装置Ａ１〜Ａｎには配下装置要求情報受信手段や配下装置要求情報送信手段や配下装置応答情報受信手段や配下装置応答情報記憶手段や配下装置応答情報送信手段が備えられており、各被監視装置Ｃ１〜Ｃｎには配下装置要求情報受信手段や配下装置応答情報送信手段が備えられている。
【００９８】
また、本例では、親局装置２の状態の報告などを要求する情報により親局装置要求情報が構成されており、親局装置２の状態の報告などを行う情報により親局装置応答情報が構成されている。
また、本例では、監視制御局装置１には親局装置要求情報送信手段や親局装置応答情報受信手段や親局装置管理手段が備えられており、親局装置２には親局装置要求情報受信手段や親局装置応答情報送信手段が備えられている。
【００９９】
また、本例では、子局装置Ａ１〜Ａｎの状態の報告などを要求する情報により子局装置要求情報が構成されており、子局装置Ａ１〜Ａｎの状態の報告などを行う情報により子局装置応答情報が構成されている。
また、本例では、親局装置２には子局装置要求情報送信手段や子局装置応答情報受信手段や子局装置管理手段が備えられており、子局装置には子局装置要求情報受信手段や子局装置応答情報送信手段が備えられている。
また、本例では、親局装置には子局装置応答情報送信手段が備えられており、管理装置には子局装置応答情報受信手段や子局装置管理手段が備えられている。
【０１００】
ここで、本発明に係る通信システムや管理装置や親局装置や子局装置や配下装置などの構成としては、必ずしも以上に示したものに限られず、種々な構成が用いられてもよい。なお、本発明は、例えば本発明に係る処理を実行する方法や、このような方法を実現するためのプログラムなどとして提供することも可能である。
また、本発明の適用分野としては、必ずしも以上に示したものに限られず、本発明は、種々な分野に適用することが可能なものである。
【０１０１】
また、本発明に係る通信システムや管理装置や親局装置や子局装置や配下装置などにおいて行われる各種の処理としては、例えばプロセッサやメモリ等を備えたハードウエア資源においてプロセッサがＲＯＭ（Ｒｅａｄ　Ｏｎｌｙ　Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ　Ｄｉｓｃ）−ＲＯＭ等のコンピュータにより読み取り可能な記録媒体や当該プログラム（自体）として把握することもでき、当該制御プログラムを記録媒体からコンピュータに入力してプロセッサに実行させることにより、本発明に係る処理を遂行させることができる。
【０１０２】
【発明の効果】
以上説明したように、本発明に係る通信システムによると、親局装置と複数の子局装置とが通信可能に接続され、親局装置からの通信に応じて子局装置が親局装置に対する送信を行う親子通信方式により親局装置と子局装置とが通信を行い、管理装置が親局装置と通信を行い、子局装置が配下装置と通信を行う構成において、管理装置が配下装置に対する要求情報を親局装置に対して送信し、親局装置が受信した配下装置要求情報を親子通信方式により子局装置に対して送信し、子局装置が受信した配下装置要求情報を配下装置に対して送信し、配下装置が受信した配下装置要求情報に対する当該配下装置からの応答情報を子局装置に対して送信し、子局装置が受信した配下装置応答情報を記憶した後に親局装置からの送信要求に応じて当該記憶した配下装置応答情報を親子通信方式により親局装置に対して送信し、親局装置が受信した配下装置応答情報を管理装置に対して送信し、管理装置が受信した配下装置応答情報に基づいて配下装置を管理するようにしたため、例えば、親局装置と子局装置との親子通信方式を維持したまま、簡易な構成により管理装置により配下装置を管理することができる。
【図面の簡単な説明】
【図１】本発明の一実施例に係るデータ通信システムの構成例を示す図である。
【図２】親局装置の構成例及び子局装置の構成例を示す図である。
【図３】データ通信システムにより行われる電文通信の処理の流れの一例を示す図である。
【図４】従来例に係るデータ通信システムの構成例を示す図である。
【図５】親局装置の構成例及び子局装置の構成例を示す図である。
【符号の説明】
１、Ｑ１・・監視制御局装置、　２・・親局装置、
３、５、６、Ｄ１〜Ｄｎ、Ｅ１〜Ｅｎ、Ｆ１〜Ｆｎ・・ケーブル、
４・・ＢＴＳ、　Ｘ１・・ＲＦ光伝送システム、　Ｙ１・・被監視装置群、
Ａ１〜Ａｎ、Ａ・・子局装置、　Ｂ１〜Ｂｎ・・光ケーブル、
Ｃ１〜Ｃｎ、Ｑ６、Ｑ８・・被監視装置、　１１、３２・・電気光変換部、
１２〜１５、３１・・光電気変換部、　１６、３３・・モデム、
１７・・子局接続設定スイッチ、　１８・・被監視装置接続設定スイッチ、
１９・・装置番号設定スイッチ、　２０、３５・・ＲＯＭ、
２１、３６・・ＲＡＭ、　２２、３７・・制御部、　３４・・子局番号設定部、
Ｑ２・・長距離ベース装置、　Ｑ３・・長距離アクセス装置、
Ｑ４・・屋外ベース装置、　Ｑ５、Ｑ７・・屋外アクセス装置、
【図１】
2004040677.tif 000003
【図２】
2004040677.tif 000004
【図３】
2004040677.tif 000005
【図４】
2004040677.tif 000006
【図５】
2004040677.tif 000007